(57)【要約】【課題】カラーターゲットのセット及び画像入力装置プロファイルの作成が誰でも簡単に間違いなく行えると共に、操作に間違いがあった場合や画像の取得条件が途中で変化しても警告によって補正できることを可能とする画像処理装置の提供を目的とする。【解決手段】画像処理装置１から送信される画像データにカラーターゲット２１の有無を検出するカラーターゲット有無検出部３６と、カラーターゲット有無検出部３６によって検出されたカラーターゲット２１に埋め込まれたＩＣチップ１９の情報を読み取るＲＦＩＤ読み取り部２２と、ＲＦＩＤ読み取り部２２によって読み取られたカラーターゲット２１の情報が既に取得しているカラーターゲット２１の情報と同一であるか否かを判別するＲＦＩＤ更新チェック部２９とを備えた。【選択図】図７
2008258672.tif 000002
【特許請求の範囲】
【請求項１】
画像入力装置から送信される画像データにカラーターゲットの画像の有無を検出する検出手段と、
前記検出手段によって検出された前記カラーターゲットの識別情報を読み取る読取手段と、
前記読取手段によって読み取られた前記カラーターゲットの情報が既に取得しているカラーターゲットの情報と同一であるか否かを判別する第１判別手段とを備え、
前記第１判別手段によって読み取られた前記カラーターゲットの情報が既に取得しているカラーターゲットの情報と同一でないと判別された場合に第１警告発生手段にて警告を発生するようにしたことを特徴とする画像処理装置。
【請求項２】
前記第１判別手段によって読み取られた前記カラーターゲットの情報が既に取得しているカラーターゲットの情報と同一であると判別された場合と、既に、取得しているカラーターゲットの情報が場合と、前記第１警告発生手段の警告を無視した場合において、前記画像入力装置によって取得された前記カラーターゲットの取得画像データと、前記読取手段によって読み取られた前記カラーターゲットの情報とから画像入力装置プロファイルを作成する画像入力装置プロファイル作成手段と、
前記カラーターゲットの取得画像データと、前記画像入力装置プロファイル作成手段によって作成された前記画像入力装置プロファイルを記憶する記憶手段と、
前記検出手段の検出において、前記画像入力装置から送信される前記画像データに前記カラーターゲットが検出されなかった場合に、前記記憶手段に基づき、前記カラーターゲットの取得画像データと前記画像入力装置プロファイルがあるか否かを判別する第２判別手段とを備え、
前記第２判別手段において、前記記憶手段に基づき、前記カラーターゲットの取得画像データと前記画像入力装置プロファイルがないと判別された場合に第２警告発生手段にて警告を発生するようにしたことを特徴とする請求項1に記載の画像処理装置。
【請求項３】
前記第２判別手段によって、前記記憶手段に基づき、前記カラーターゲットの取得画像データと前記画像入力装置プロファイルがあると判別された場合に、前記記憶手段に記憶されている前記カラーターゲットの取得画像データと取得条件は同じか否かを判別する第３判別手段と、
前記第３判別手段において、前記記憶手段に記憶されている前記カラーターゲットの取得画像データと取得条件は同じであると判別された場合に、前記画像入力装置によって取得された被写体の取得画像データに対して前記画像入力装置プロファイルを使用して色補正が行われる色補正手段と、
前記色補正手段によって色補正された前記被写体の取得画像データを出力する出力手段とを備え、
前記第３判別手段において、前記記憶手段に記憶されている前記カラーターゲットの取得画像データと取得条件は同じではないと判別された場合に第３警告発生手段にて警告を発生すると共に、第２警告発生手段と第３警告発生手段の警告を無視して前記画像入力装置によって取得された被写体の取得画像データに対しては、色補正が行われずに出力するようにしたことを特徴とする請求項１又は請求項２に記載の画像処理装置。
【請求項４】
前記第１警告発生手段は、前記画像入力装置が取得する前記被写体の位置に設置される前記カラーターゲットを交換する指示であることを特徴とする請求項１に記載の画像処理装置。
【請求項５】
前記第２警告発生手段は、前記画像入力装置が取得する前記被写体の位置に前記カラーターゲットを設置する指示であることを特徴とする請求項２に記載の画像処理装置。
【請求項６】
前記第３警告発生手段は、前記画像入力装置によって取得された前記カラーターゲットの取得画像データの条件に合わせる指示であることを特徴とする請求項３に記載の画像処理装置。
【請求項７】
前記画像入力装置はカメラであって、前記第３判別手段が前記カラーターゲットの取得画像データと取得条件の違いを判別する基準は、レンズ交換の有無、ストロボの有無、ホワイトバランスの設定変更の有無、ＩＳＯ感度の設定変更の有無であることを特徴とする請求項１乃至請求項６のいずれかに記載の画像処理装置。
【請求項８】
前記カラーターゲットの情報を読み取る前記読取手段は、前記カラーターゲットにＩＣチップを付設したＲＦＩＤであることを特徴とする請求項１乃至請求項７のいずれかに記載の画像処理装置。
【請求項９】
前記画像データに前記カラーターゲットの有無を検出する前記検出手段は、パターンマッチングで行うようにしたことを特徴とする請求項１乃至請求項８のいずれかに記載の画像処理装置。
【発明の詳細な説明】
【技術分野】
【０００１】
本発明は、画像処理装置に関し、特にカラーターゲットに基づく色補正に関するものである。
【背景技術】
【０００２】
コンピュータの普及とカラープリンタやカメラ・スキャナなどの画像を扱う機器のデジタル技術の進展により、様々な分野でカラー画像をデジタルデータで取り扱うことが多くなっている。それにつれて画像を扱う機器の間での画像データの交換を円滑に行うために、機器に左右されない標準的な色空間で画像データを取り扱うことが要求されるようになってきた。この要求に合理的に容易に経済的に応えようとする技術がいわゆるカラーマネジメントと呼ばれる技術である。
【０００３】
カラーマネジメントにより管理されたカラー処理系では、その処理系内のどのような入力機器で入力した画像をその処理系内のどのような出力再生システムで再現しても常にある程度の誤差範囲内で一定の再現が得られる。このようなことを可能とするためには、入力機器固有の色空間を標準的な色空間にマッピングする色変換テーブルを準備しておく必要がある。
【０００４】
色変換テーブルは、通常、色片の測色値が既知のカラーチャートを入力機器で読み取り、得られた入力データと測色値の対応をとることで作成できる。この対応関係を、例えばＩＣＣ（International Color Consortium）プロファイルのような業界標準フォーマットのデバイスプロファイルとしての画像入力装置プロファイルを作成して利用する。
【０００５】
そして、有用な色変換テーブルを作成する様々な技術が提案されている。例えば、特許文献１には、カメラにより露出条件を変えてカラーターゲットを２回以上撮影して、一定の出力処理条件で前記カラーターゲットの複数のハードコピー複製物を得る第１のステップと、第１のステップで得られたカラーターゲットのハードコピー複製物を測色して、撮影時の露出条件毎の前記カラーターゲット上の各色片の測色値を得る第２のステップと、デジタルカメラにより第１ステップと同じ露出条件で同じカラーターゲットを撮影し、露出条件毎の前記カラーターゲット上の各色片の信号値を得る第３のステップと、第２ステップで得られた測色値と第３ステップで得たＲＧＢ信号値を、撮影時の露出条件と色片に関して等しいものを対応付ける第４のステップ、の工程を含んでデジタルカメラの色変換テーブルを作成する技術が開示されている。
【０００６】
【特許文献１】特開２００１−１９４２３８号公報
【発明の開示】
【発明が解決しようとする課題】
【０００７】
上述した特許文献１に記載される技術においては、銀塩写真プリントやカラー印刷物を目標としたデジタルカメラの、精度よい色変換テーブルが得られ、この色変換テーブル作成装置を利用すれば、より容易に色変換テーブル作成が行える点は優れた技術の一つである。しかしながら、最初に画像入力装置によってカラーターゲットの画像データを入力し、その入力した条件に基づいて他の画像を入力してから色補正を行うために、画像入力装置プロファイルを作成する必要があるが、複数のカラーターゲット（カラーターゲットは同じパターンのカラーターゲットでもカラーターゲットごとで色情報が異なる）を所有している場合にどのカラーターゲットを使用したか分からなくなり、正しい色情報を入力できなくなる問題や、例えば、画像入力装置がデジタルカメラの場合、撮影条件が異なると再度カメラプロファイルの作成を行わなければならないが忘れてしまう等の問題もあるが、特許文献１にはこれらの問題に対処する発想は記載されていない。
【０００８】
本発明は、上述した問題点を解決するためになされたものであり、カラーターゲットのセット及び画像入力装置プロファイルの作成が誰でも簡単に間違いなく行えると共に、操作に間違いがあった場合や画像の取得条件が途中で変化しても警告によって補正できることを可能とする画像処理装置の提供を目的とする。
【課題を解決するための手段】
【０００９】
前記目的を達成するため請求項１に係る画像処理装置は、画像入力装置から送信される画像データにカラーターゲットの画像の有無を検出する検出手段と、前記検出手段によって検出された前記カラーターゲットの識別情報を読み取る読取手段と、前記読取手段によって読み取られた前記カラーターゲットの情報が既に取得しているカラーターゲットの情報と同一であるか否かを判別する第１判別手段とを備え、前記第１判別手段によって読み取られた前記カラーターゲットの情報が既に取得しているカラーターゲットの情報と同一でないと判別された場合に第１警告発生手段にて警告を発生するようにしたことを特徴とする。
【００１０】
また、請求項２に係る画像処理装置は、請求項1に記載の画像処理装置において、前記第１判別手段によって読み取られた前記カラーターゲットの情報が既に取得しているカラーターゲットの情報と同一であると判別された場合と、既に、取得しているカラーターゲットの情報が場合と、前記第１警告発生手段の警告を無視した場合において、前記画像入力装置によって取得された前記カラーターゲットの取得画像データと、前記読取手段によって読み取られた前記カラーターゲットの情報とから画像入力装置プロファイルを作成する画像入力装置プロファイル作成手段と、前記カラーターゲットの取得画像データと、前記画像入力装置プロファイル作成手段によって作成された前記画像入力装置プロファイルを記憶する記憶手段と、前記検出手段の検出において、前記画像入力装置から送信される前記画像データに前記カラーターゲットが検出されなかった場合に、前記記憶手段に基づき、前記カラーターゲットの取得画像データと前記画像入力装置プロファイルがあるか否かを判別する第２判別手段とを備え、前記第２判別手段において、前記記憶手段に基づき、前記カラーターゲットの取得画像データと前記画像入力装置プロファイルがないと判別された場合に第２警告発生手段にて警告を発生するようにしたことを特徴とする。
【００１１】
また、請求項３に係る画像処理装置は、請求項１又は請求項２に記載の画像処理装置において、前記第２判別手段によって、前記記憶手段に基づき、前記カラーターゲットの取得画像データと前記画像入力装置プロファイルがあると判別された場合に、前記記憶手段に記憶されている前記カラーターゲットの取得画像データと取得条件は同じか否かを判別する第３判別手段と、前記第３判別手段において、前記記憶手段に記憶されている前記カラーターゲットの取得画像データと取得条件は同じであると判別された場合に、前記画像入力装置によって取得された被写体の取得画像データに対して前記画像入力装置プロファイルを使用して色補正が行われる色補正手段と、前記色補正手段によって色補正された前記被写体の取得画像データを出力する出力手段とを備え、前記第３判別手段において、前記記憶手段に記憶されている前記カラーターゲットの取得画像データと取得条件は同じではないと判別された場合に第３警告発生手段にて警告を発生すると共に、第２警告発生手段と第３警告発生手段の警告を無視して前記画像入力装置によって取得された被写体の取得画像データに対しては、色補正が行われずに出力するようにしたことを特徴とする。
【００１２】
また、請求項４に係る画像処理装置は、請求項１に記載の画像処理装置において、前記第１警告発生手段は、前記画像入力装置が取得する前記被写体の位置に設置される前記カラーターゲットを交換する指示であることを特徴とする。
【００１３】
また、請求項５に係る画像処理装置は、請求項２に記載の画像処理装置において、前記第２警告発生手段は、前記画像入力装置が取得する前記被写体の位置に前記カラーターゲットを設置する指示であることを特徴とする。
【００１４】
また、請求項６に係る画像処理装置は、請求項３に記載の画像処理装置において、前記第３警告発生手段は、前記画像入力装置によって取得された前記カラーターゲットの取得画像データの条件に合わせる指示であることを特徴とする。
【００１５】
また、請求項７に係る画像処理装置は、請求項１乃至請求項６のいずれかに記載の画像処理装置において、前記画像入力装置はカメラであって、前記第３判別手段が前記カラーターゲットの取得画像データと取得条件の違いを判別する基準は、レンズ交換の有無、ストロボの有無、ホワイトバランスの設定変更の有無、ＩＳＯ感度の設定変更の有無であることを特徴とする。
【００１６】
また、請求項８に係る画像処理装置は、請求項１乃至請求項７のいずれかに記載の画像処理装置において、前記カラーターゲットの情報を読み取る前記読取手段は、前記カラーターゲットにＩＣチップを付設したＲＦＩＤであることを特徴とする。
【００１７】
そして、請求項９に係る画像処理装置は、請求項１乃至請求項８のいずれかに記載の画像処理装置において、前記画像データに前記カラーターゲットの有無を検出する前記検出手段は、パターンマッチングで行うようにしたことを特徴とする。
【発明の効果】
【００１８】
請求項１に記載の発明によれば、画像処理装置は、画像入力装置から送信される画像データにカラーターゲットの画像の有無を検出する検出手段と、検出手段によって検出されたカラーターゲットの識別情報を読み取る読取手段と、読取手段によって読み取られたカラーターゲットの情報が既に取得しているカラーターゲットの情報と同一であるか否かを判別する第１判別手段とを備え、第１判別手段によって読み取られたカラーターゲットの情報が既に取得しているカラーターゲットの情報と同一でないと判別された場合に第１警告発生手段にて警告を発生する。これにより、操作者は、カラーターゲットの設定間違いが入力画像を取得する前に分かり、作業をした後でもう一度作業をするという無駄な作業を防止できる。また、カラーターゲットの間違いを自動的に判別するので、操作者の負担が軽減できる。
【００１９】
また、請求項２に記載の発明によれば、第１判別手段によって読み取られたカラーターゲットの情報が既に取得しているカラーターゲットの情報と同一であると判別された場合と、既に、取得しているカラーターゲットの情報が場合と、第１警告発生手段の警告を無視した場合において、画像入力装置によって取得されたカラーターゲットの取得画像データと、読取手段によって読み取られたカラーターゲットの情報とから画像入力装置プロファイルを作成する画像入力装置プロファイル作成手段と、カラーターゲットの取得画像データと、画像入力装置プロファイル作成手段によって作成された画像入力装置プロファイルを記憶する記憶手段と、検出手段の検出において、画像入力装置から送信される画像データにカラーターゲットが検出されなかった場合に、記憶手段に基づき、カラーターゲットの取得画像データと画像入力装置プロファイルがあるか否かを判別する第２判別手段とを備え、第２判別手段において、記憶手段に基づき、カラーターゲットの取得画像データと画像入力装置プロファイルがないと判別された場合に第２警告発生手段にて警告を発生する。これにより、画像入力装置プロファイルの作成間違いを無くすことができる。作業を進めた最後に色補正ができないためにもう一度やり直すという無駄な作業を防止できる。画像入力装置プロファイルの作成を自動的に行うので操作者がデータを入力する必要がなく、確実な画像入力装置プロファイルを作成することができる。
【００２０】
また、請求項３に記載の発明によれば、画像処理装置は、記憶手段に基づき、カラーターゲットの取得画像データと画像入力装置プロファイルがあると判別された場合に、記憶手段に記憶されているカラーターゲットの取得画像データと取得条件は同じか否かを判別する第３判別手段と、第３判別手段において、記憶手段に記憶されているカラーターゲットの取得画像データと取得条件は同じであると判別された場合に、画像入力装置によって取得された被写体の取得画像データに対して画像入力装置プロファイルを使用して色補正が行われる色補正手段と、色補正手段によって色補正された被写体の取得画像データを出力する出力手段とを備え、第３判別手段において、記憶手段に記憶されているカラーターゲットの取得画像データと取得条件は同じではないと判別された場合に第３警告発生手段にて警告を発生すると共に、第２警告発生手段と第３警告発生手段の警告を無視して画像入力装置によって取得された被写体の取得画像データに対しては、色補正が行われずに出力する。これにより、画像データを取得する条件が変化した場合に、画像データを取得する以前に条件の変化を知ることができるので、前の状態に戻して作業をすることができる。それにより、常に被写体にあった色補正をされた出力画像が得られる。また、警告を無視した画像データの取得も可能であるので、例えば、カメラ撮影などのシャッタチャンスを生かした撮影も可能になる。
【００２１】
また、請求項４に記載の発明によれば、第１警告発生手段は、画像入力装置が取得する被写体の位置に設置されるカラーターゲットを交換する指示である。このように、指示を明確にすることにより、何の警告かよく分かり、修正の時間が短くできると共に、操作者の負担を軽減することができる。
【００２２】
また、請求項５に記載の発明によれば、第２警告発生手段は、画像入力装置が取得する被写体の位置にカラーターゲットを設置する指示である。このように、指示を明確にすることにより、何の警告かよく分かり、修正の時間が短くできると共に、操作者の負担を軽減することができる。
【００２３】
また、請求項６に記載の発明によれば、第３警告発生手段は、画像入力装置によって取得されたカラーターゲットの取得画像データの条件に合わせる指示である。このように、指示を明確にすることにより、何の警告かよく分かり、修正の時間が短くできると共に、操作者の負担を軽減することができる。
【００２４】
また、請求項７に記載の発明によれば、画像入力装置はカメラであって、第３判別手段がカラーターゲットの取得画像データと取得条件の違いを判別する基準は、レンズ交換の有無、ストロボの有無、ホワイトバランスの設定変更の有無、ＩＳＯ感度の設定変更の有無である。画像入力装置がカメラの場合は、この４項目を押さえることによって完全なカメラプロファイルの作成を可能にすることができる。
【００２５】
また、請求項８に記載の発明によれば、カラーターゲットの情報を読み取る読取手段は、カラーターゲットにＩＣチップを付設したＲＦＩＤである。これにより、カラーターゲットの情報を手で入力する必要がないので、完全な画像入力装置プロファイルを作成することができる。また、読み取りもカラーターゲットの設定と同時に自動で行うので短時間に完全な画像入力装置プロファイルを作成することができる。
【００２６】
そして、請求項９に記載の発明によれば、画像データにカラーターゲットの有無を検出する検出手段は、パターンマッチングで行うようにする。このため、カラーターゲットの傾き等を気にすることなくカラーターゲットの有無の検出ができる。また、カラーターゲットのセットに対する時間と負担を軽減できる。
【発明を実施するための最良の形態】
【００２７】
以下、本発明に係る画像処理装置について、本発明をカメラに適用して具体化した実施形態に基づき図面を参照しつつ詳細に説明する。先ず、本実施形態に係る画像処理装置の構成について図１乃至図６に基づき説明する。ここで、図１は、本実施形態に係る画像処理装置を使用した撮影現場においてカメラの前にカラーターゲットを設置した概略外観斜視図、図２は、画像処理装置を使用した撮影現場においてカメラの前に被写体を配置した概略外観斜視図、図３は、画像処理装置の構成を示すブロック図である。図４乃至図６は、画像処理装置の液晶ディスプレイに表示される警告文を説明する説明図である。
【００２８】
図１に示すように、本実施形態に係る画像処理装置１は、本体２と、本体２とケーブル３によって撮像処理部４（図３参照）に接続されるカメラ５と、本体２とケーブル６によって接続されるＲＩＦＤ用アンテナ７とによって構成されている。更に、本体２はケーブル８によって画像デ−タ印刷部９としての印刷装置１０と接続されている。また、本体２は、画像データ表示部１１としての液晶ディスプレイ（LCD：Liquid Crystal Display)１２と、キーボード１３とタッチパッド１４からなる操作部１５と、ＣＤドライブ１６、ハードディスク（ＨＤＤ）１７等の記憶装置１８とによって構成されている。また、カメラ５には、レンズ５Ａが取り付けられ、レンズ５Ａを通過してきた画像を表示する撮像部表示ディスプレイ５ｂが備えられている。また、カメラ５の前には、既存の技術であるＩＣチップ１９と、ＩＣチップ１９に接続されているループアンテナ２０が埋設されているカラーターゲット２１が設置されている。これによって、ＩＣチップ１９の情報がループアンテナ２０とＲＩＦＤ用アンテナ７とを経由して本体２に設けられているＲＦＩＤ読み取り部２２において読み取られる。
【００２９】
ここで、カメラ５とは、３次元空間中の被写体の画像情報を何らかの方法で２次元の画像情報として記録する機構を指す。また、カラーターゲット２１とは、多数の色領域を有する、または、多数の色を発色可能な、基準被写体であり、２次元的に小さな色片を並べて構成したものは通常カラーチャートと呼ばれる。
また、ＩＣチップ１９の情報は、カラーターゲット２１の名前、シリアル番号、カラーターゲット２１内の各々の色の測色値データである。また、測色値は、Ｌ*a*b*値で表されている。
【００３０】
次に、図２は、図１に示す状態において後述するカメラプロファイルの作成などの撮影準備が進められた後に、カラーターゲット２１が取り除かれて、代わりに被写体２３が置かれて本番の撮影をする状態を示している。
【００３１】
次に、このように構成された画像処理装置１の各部の機能について、図３に基づいて説明する。
【００３２】
カメラ５は、カラーターゲット２１、あるいは被写体２３を撮影し、撮影した画像データを撮像処理部４に送信する。
【００３３】
撮像処理部４は、受信したカラーターゲット２１、あるいは被写体２３の画像データをプロファイル作成部２４、もしくは、画像データ保存部２５に出力する。
【００３４】
ＲＦＩＤ読み取り部２２は、ＲＩＦＤ用アンテナ７、ループアンテナ２０を介して、カラーターゲット２１に埋設されたＩＣチップ１９に記憶されているカラーターゲット２１の名前、シリアル番号、カラーターゲット２１内の各々の色に対してL*a*b*値で表される測色データを読み取り、測色データ記憶部２６に出力する。
【００３５】
測色データ記憶部２６は、ＲＦＩＤ読み取り部２２からの、カラーターゲット２１の名前、シリアル番号、カラーターゲット２１内の各々の色に対してL*a*b*値で表される測色データを記憶する。
【００３６】
プロファイル作成部２４は、測色データ記憶部２６に記憶されているカラーターゲット２１の測色データと、撮像処理部４から供給されたカラーターゲット２１の画像データを用いてカメラプロファイルを作成し、これを画像データ保存部２５に供給する。
【００３７】
画像データ保存部２５は、撮像処理部４から供給された被写体２３の画像データと、プロファイル作成部２４から供給されたカメラプロファイルを基に、保存ファイルを作成し、この保存ファイルを記録媒体１８と色変換処理計算部２７に供給する。
【００３８】
色変換処理計算部２７は、画像データ保存部２５から供給された保存ファイルより、RGB画像データ、およびカメラプロファイルを読み出し、カメラプロファイルを用いてRGB画像データの色補正処理を行い、得られたＲＧＢ補正画像データを、画像データ表示部１１へ出力する。
【００３９】
画像データ表示部１１は、色変換処理計算部１１から入力された画像データを表示する。
【００４０】
次に、このように構成された画像処理装置１の各部の機能による処理動作について説明する。
先ず、カメラプロファイル作成処理であるが、このカメラプロファイル作成処理は、ユーザが指示した場合、自動的に開始される。
【００４１】
ユーザが操作部１５を操作して、所定の指令を入力すると、制御部２８は、撮像処理部４を制御し、カメラ５によってカラーターゲット２１を撮影させ、その画像データを、プロファイル作成部２４に供給させる。
【００４２】
プロファイル作成部２４は、撮像処理部４からの画像データにカラーターゲット２１の画像があると判断すると、測色データ記憶部２６から、ＲＦＩＤ読み取り部２２がカラーターゲット２１のＩＣチップ１９より読み取ったカラーターゲット２１に対応するL*a*b*測色データを入力する。
【００４３】
プロファイル作成部２４は、撮像処理部４から入力されたカラーターゲット２１のRGB画像データと、測色データ記憶部２６から入力されたL*a*b*測色データを基に、画像データのRGB値を適切なL*a*b*値に補正変換するための、カメラプロファイルを算出して作成し、記憶する。
【００４４】
次に、画像撮影処理について説明する。
ユーザが操作部１５を操作して、所定の指令を入力すると、制御部２８は、撮像処理部４を制御し、カメラ５によって被写体２３を撮影させ、そのRGB画像データを、画像データ保存部２５に供給させる。
【００４５】
画像データ保存部２５は、撮像処理部４から入力した被写体２３のRGB画像データに、プロファイル作成部２４から入力したカメラプロファイルを添付し、１つの保存用ファイルを作成し、記録媒体１６に出力し、記録させる。または、色変換処理計算部２７に出力する。
このようにして、カメラプロファイルを画像データに添付して保存することにより、ユーザが色補正をする手間を省き、かつ、他の画像処理装置で画像データを表示する際に色再現性を保障することができる。
【００４６】
次に、画像データの表示処理の手順について説明する。
画像データ保存部２５は、前述したように、撮像処理部４から供給された被写体２３の画像データと、プロファイル作成部２４から供給されたカメラプロファイルを基に、保存ファイルを作成し、この保存ファイルを色変換処理計算部２７へ供給する。
【００４７】
色変換処理計算部２７は、供給された保存ファイルより、RGB画像データ、およびカメラプロファイルを読み出し、カメラプロファイルを用いてRGB画像データの色補正処理を行い、得られたＲＧＢデータとしての補正画像データを、画像データ表示部１１へ出力する。
【００４８】
画像データ表示部１１は、色変換処理計算部２７より供給されたＲＧＢデータとしての補正画像データを、液晶ディスプレイ（LCD：Liquid Crystal Display)１２に表示したり、または画像デ−タ印刷部９としての印刷装置１０等に出力したりする。
【００４９】
また、画像処理装置１には、ＲＦＩＤ更新チェック部２９が設けられており、測色データ記憶部２６のデータを監視している。測色データ記憶部２６において、カラーターゲット２１の更新があった場合、そのカラーターゲット２１が前回と異なる場合には、その旨の信号を警告発生部３０に伝達する。
【００５０】
警告発生部３０では、例えば図４に示すように「カラーターゲットのＲＦＩＤ情報が前回に設定した情報と異なっています。前回のカラーターゲットは○○○です。○○○のカラーターゲットと交換して設定し直してください。」と、警告文３３の例文を発生させて、画像データ表示部１１の液晶ディスプレイ（LCD：Liquid Crystal Display)１２に表示する。
【００５１】
また、画像処理装置１には、プロファイル有無チェック部３１が設けられており、プロファイル作成部２４のデータを監視している。後述するカラーターゲット有無検出部３６が撮像処理部４からの画像データにカラーターゲット２１の画像が無いと判断すると共に、プロファイル作成部２４のデータにカメラプロファイルと画像データＡのデータがない場合には、その旨の信号を警告発生部３０に伝達する。
【００５２】
警告発生部３０では、例えば図５に示すように「カメラプロファイルと画像データＡがありません。カラーターゲットを設定して、カラーターゲットの撮影を行い、その画像データＡを取得してから、カメラプロファイルの作成を行って下さい。」と、警告文３４の例文を発生させて、画像データ表示部１１の液晶ディスプレイ（LCD：Liquid Crystal Display)１２に表示する。
【００５３】
また、画像処理装置１には、撮影条件変更チェック部３２が設けられており、撮像処理部４のデータを監視している。レンズ交換の有無、ストロボの有無、ホワイトバランスの設定変更の有無、ＩＳＯ感度の設定変更の有無の４項目において、画像データＡと撮影条件が異なった場合には、その旨の信号を警告発生部３０に伝達する。
【００５４】
警告発生部３０では、例えばレンズ５ａが変更された場合には、図６に示すように「画像データＡと撮影条件が異なります。○○○レンズが△△△レンズに交換されています。○○○レンズに交換して下さい。」と、警告文３５の例文を発生させて、画像データ表示部１１の液晶ディスプレイ（LCD：Liquid Crystal Display)１２に表示する。
【００５５】
また、画像処理装置１には、カラーターゲット有無検出部３６が設けられており、撮像処理部４を監視して、カラーターゲット２１の有無をチェックしている。そして、カラーターゲット２１の有無の情報をプロファイル有無チェック部３１に提供している。
また、カラーターゲット２１の有無を検出方法は、向き、傾きが補正できるパターンマッチング（幾何学相関法）で行われている。これは、カラーターゲット２１の置き方に制約がなくなるので有効である。
【００５６】
次に、このように構成された、画像処理装置１に本発明を実施するプログラムを実行したときの動作を図1乃至図６を参照しつつ図７に基づいて説明する。ここで、図７は、本発明を実施するプログラムのフローチャートである。
【００５７】
図７に示すように、ステップ（以下、Ｓと略記する）１では、画像処理装置１を起動するためにカメラ５の電源スイッチ５ｃをＯＮにする。そして、Ｓ２に進む。
【００５８】
Ｓ２では、同様に画像処理装置１の本体２の電源スイッチ１３ａをＯＮにして画像処理装置１を起動する。そして、Ｓ３に進む。
【００５９】
Ｓ３では、図１に示すように被写体の横に置かれたカラーターゲット２１が撮影できるようにカメラ５をセットする。そして、Ｓ４に進む。
【００６０】
Ｓ４では、カメラ５の撮像部表示ディスプレイ５ｂに映し出されている画像データを画像処理装置１における本体２の撮像処理部４へ送信する。そして、Ｓ５に進む。
【００６１】
Ｓ５では、図3に示す画像処理装置１のカラーターゲット有無検出部３６が、撮像処理部４からの画像データ内にカラーターゲット２１の画像があるか否かを判断する。カラーターゲット２１の画像があると判断した場合（Ｓ５：ＹＥＳ）は、Ｓ６に進む。
【００６２】
Ｓ６では、図3に示す画像処理装置１のＲＦＩＤ読み取り部２２が、ＲＩＦＤ用アンテナ７、ループアンテナ２０を介して、カラーターゲット２１に埋設されたＩＣチップ１９に記憶されているＲＦＩＤ情報であるカラーターゲット２１の名前、シリアル番号、カラーターゲット２１内の各々の色に対してL*a*b*値で表される測色データを読み取り、測色データ記憶部２６に出力する。そして、Ｓ７に進む。
【００６３】
Ｓ７では、図3に示す画像処理装置１の測色データ記憶部２６をチェックするＲＦＩＤ更新チェック部２９が、Ｓ６にて読み取られて測色データ記憶部２６に記憶されているＲＦＩＤ情報に対して、取得したシリアル番号を基に、前回のＲＦＩＤ情報と同じか否か、又は、前回のＲＦＩＤ情報が無いか否かを判断する。前回のＲＦＩＤ情報と同じでなく、又は、前回のＲＦＩＤ情報が有ると判断した場合（Ｓ７：ＮＯ）は、Ｓ１２に進む。尚、前回のＲＦＩＤ情報との比較はシリアル番号にこだわらない。
【００６４】
Ｓ１２では、図４に示すように「カラーターゲットのＲＦＩＤ情報が前回に設定した情報と異なっています。前回のカラーターゲットは○○○です。○○○のカラーターゲットと交換して設定し直してください。」と、警告文３３の例文を発生させて、図３に示す画像処理装置１の画像データ表示部１１の液晶ディスプレイ（LCD：Liquid Crystal Display)１２に表示する。そして、Ｓ１３に進む。
【００６５】
Ｓ１３では、Ｓ１２において出された警告に対して無視するか否かが判断される。無視すると判断された場合（Ｓ１３：ＹＥＳ）は、Ｓ８に進む。無視しないと判断された場合（Ｓ１３：ＮＯ）は、Ｓ１４に進む。
【００６６】
Ｓ１４では、図１に示す位置にあるカラーターゲット２１を○○○のカラーターゲット２１に交換してＳ４に戻り、その後のステップ繰り返す。
【００６７】
ここで、Ｓ７に戻って説明する。Ｓ７では、図3に示す画像処理装置１の測色データ記憶部２６をチェックするＲＦＩＤ更新チェック部２９によって、Ｓ６にて読み取られて測色データ記憶部２６に記憶されているＲＦＩＤ情報に対して、前回のＲＦＩＤ情報と同じか否か、又は、前回のＲＦＩＤ情報が無いか否かが判断されている。前回のＲＦＩＤ情報と同じであり、又は、前回のＲＦＩＤ情報が無いと判断された場合（Ｓ７：ＹＥＳ）は、Ｓ８に進む。
【００６８】
Ｓ８では、図１に示すように、カメラ５によってカラーターゲット２１の撮影を行いＳ９に進む。
【００６９】
Ｓ９では、カメラ５によって撮影されたカラーターゲット２１の画像データＡを、図３に示す画像処理装置１における本体２の撮像処理部４へ送信する。撮像処理部４は、受信したカラーターゲット２１の画像データＡをプロファイル作成部２４に出力する。そして、Ｓ１０に進む。
【００７０】
Ｓ１０では、図３に示す画像処理装置１のプロファイル作成部２４が、撮像処理部４から入力された画像データＡであるカラーターゲット２１のRGB画像データと、ＲＦＩＤ読み取り部２２によって読み出された、カラーターゲット２１の名前、シリアル番号、カラーターゲット２１内の各々の色に対してL*a*b*値で表される測色データが記憶されている測色データ記憶部２６から入力されたL*a*b*測色データを基に、画像データのRGB値を適切なＲＧＢ値に補正変換するための、カメラプロファイルを算出して作成し、記憶する。そして、Ｓ１１に進む。
【００７１】
Ｓ１１では、図３に示す画像処理装置１の画像データ保存部２５が、撮像処理部４から入力された画像データＡであるカラーターゲット２１のRGB画像データに、プロファイル作成部２４から入力したカメラプロファイルを添付し、１つの保存用ファイルを作成する。そして、記録媒体１６に出力して保存させる。その後、Ｓ５に戻る。
【００７２】
ここで、Ｓ５に戻って説明する。Ｓ５では、図3に示す画像処理装置１のカラーターゲット有無検出部３６によって、撮像処理部４からの画像データ内にカラーターゲット２１の画像があるか否かが判断されている。撮像処理部４からの画像データ内にカラーターゲット２１の画像がないと判断された場合（Ｓ５：ＮＯ）は、Ｓ１５に進む。
【００７３】
Ｓ１５では、図3に示す画像処理装置１のプロファイル作成部２４をチェックするプロファイル有無チェック部３１が、プロファイル作成部２４にカメラプロファイルと画像データＡがあるか否かを判断する。プロファイル作成部２４にカメラプロファイルと画像データＡが無いと判断した場合（Ｓ１５：ＮＯ）は、Ｓ２２に進む。
【００７４】
Ｓ２２では、図５に示すように「カメラプロファイルと画像データＡがありません。カラーターゲットを設定して、カラーターゲットの撮影を行い、その画像データＡを取得してから、カメラプロファイルの作成を行って下さい。」と、警告文３４の例文を発生させて、図３に示す画像データ表示部１１の液晶ディスプレイ（LCD：Liquid Crystal Display)１２に表示する。そして、Ｓ２３に進む。
【００７５】
Ｓ２３では、Ｓ２２において出された警告に対して無視するか否かが判断される。無視すると判断された場合（Ｓ２３：ＹＥＳ）は、Ｓ１７に進む。無視しないと判断された場合（Ｓ２３：ＮＯ）は、Ｓ２４に進む。
【００７６】
Ｓ２４では、図１に示す位置にカラーターゲット２１を設置してＳ４に戻り、その後のステップ繰り返す。
【００７７】
ここで、Ｓ１５に戻って説明する。Ｓ１５では、図3に示す画像処理装置１のプロファイル作成部２４をチェックするプロファイル有無チェック部３１によって、プロファイル作成部２４にカメラプロファイルと画像データＡがあるか否かが判断されている。プロファイル作成部２４にカメラプロファイルと画像データＡがあると判断した場合（Ｓ１５：ＹＥＳ）は、Ｓ１６に進む。
【００７８】
Ｓ１６では、図3に示す画像処理装置１の画像処理部４をチェックする撮影条件変更チェック部３２が、カメラ５を含む画像処理部４に備えられている、レンズ交換の有無、ストロボの有無、ホワイトバランスの設定変更の有無、ＩＳＯ感度の設定変更の有無の４項目の撮影条件に対して、画像データＡが撮影されたときの撮影条件と同じであるか否かを判断する。画像データＡが撮影されたときの撮影条件と同じでないと判断した場合（Ｓ１６：ＮＯ）は、Ｓ２５に進む。
【００７９】
Ｓ２５では、図６に示すように「画像データＡと撮影条件が異なります。○○○レンズが△△△レンズに交換されています。○○○レンズに交換して下さい。」と、警告文３５の例文を発生させて、画像データ表示部１１の液晶ディスプレイ（LCD：Liquid Crystal Display)１２に表示する。そして、Ｓ２６に進む。
【００８０】
Ｓ２６では、Ｓ２５において出された警告に対して無視するか否かが判断される。無視すると判断された場合（Ｓ２６：ＹＥＳ）は、Ｓ１７に進む。無視しないと判断された場合（Ｓ２６：ＮＯ）は、Ｓ２７に進む。
【００８１】
Ｓ２７では、撮影条件を画像データＡが撮影されたときの撮影条件に戻す。そして、Ｓ１６に戻り、その後のステップ繰り返す。
【００８２】
ここで、Ｓ１６に戻って説明する。Ｓ１６では、図3に示す画像処理装置１の画像処理部４をチェックする撮影条件変更チェック部３２によって、カメラ５を含む画像処理部４に備えられている、レンズ交換の有無、ストロボの有無、ホワイトバランスの設定変更の有無、ＩＳＯ感度の設定変更の有無の４項目の撮影条件に対して、画像データＡが撮影されたときの撮影条件と同じであるか否かが判断される。画像データＡが撮影されたときの撮影条件と同じであると判断された場合（Ｓ１６：ＹＥＳ）は、Ｓ１７に進む。
【００８３】
Ｓ１７では、図２に示すように、被写体を被写体２３に置き換えて、カメラ５によって被写体２３の撮影を行いＳ１８に進む。
【００８４】
Ｓ１８では、カメラ５によって撮影された被写体２３の画像データＢを、図３に示す画像処理装置１における本体２の撮像処理部４へ送信する。撮像処理部４は、受信した被写体２３の画像データＢであるRGB画像データを画像データ保存部２５に供給する。そして、Ｓ１９に進む。
【００８５】
Ｓ１９では、画像データＢは、Ｓ２３、Ｓ２６において、警告を無視しているか否かが判断される。警告を無視していると判断された場合（Ｓ１９：ＹＥＳ）は、Ｓ２１に進む。警告を無視していないと判断された場合（Ｓ１９：ＮＯ）は、Ｓ２０に進む。
尚、警告を無視するということはシャッタチャンスを優先していることを意味する。
【００８６】
Ｓ２０では、図３に示す画像処理装置１における画像データ保存部２５が、撮像処理部４から入力した被写体２３の画像データＢであるRGB画像データに、プロファイル作成部２４から入力したカメラプロファイルを添付し、１つの保存用ファイルを作成し、色変換処理計算部２７に出力する。色変換処理計算部２７は、供給された保存ファイルより、RGB画像データ、およびカメラプロファイルを読み出し、カメラプロファイルを用いてRGB画像データの色補正処理を行い、得られたＲＧＢデータとしての補正画像データを、画像データ表示部１１へ出力する。そして、Ｓ２１に進む
【００８７】
Ｓ２１では、図３に示す画像処理装置１における画像データ表示部１１が、Ｓ２３、Ｓ２６において、警告を無視していない画像データＢに対しては、色変換処理計算部２７より供給されたＲＧＢデータとしての補正画像データを、液晶ディスプレイ（LCD：Liquid Crystal Display)１２に表示したり、または画像デ−タ印刷部９としての印刷装置１０等に出力したりする。また、Ｓ２３、Ｓ２６において、警告を無視している画像データＢに対しては、色補正していない画像データを、液晶ディスプレイ（LCD：Liquid Crystal Display)１２に表示したり、または画像デ−タ印刷部９としての印刷装置１０等に出力したりする。
【００８８】
以上詳細に説明した通り本実施形態に係る画像処理装置１では、画像処理装置１から送信される画像データにカラーターゲット２１の有無を検出するカラーターゲット有無検出部３６と、カラーターゲット有無検出部３６によって検出されたカラーターゲット２１に埋め込まれたＩＣチップ１９の情報を読み取るＲＦＩＤ読み取り部２２と、ＲＦＩＤ読み取り部２２によって読み取られたカラーターゲット２１の情報が既に取得しているカラーターゲット２１の情報と同一であるか否かを判別するＲＦＩＤ更新チェック部２９とを備え、ＲＦＩＤ更新チェック部２９によって読み取られたカラーターゲット２１の情報が既に取得しているカラーターゲット２１の情報と同一でないと判別された場合に警告発生部３０の警告文３３にて警告を発生する。これにより、操作者は、カラーターゲット２１の設定間違いが入力画像を取得する前に分かり、作業をした後でもう一度作業をするという無駄な作業を防止できる。また、カラーターゲット２１の間違いを自動的に判別するので、操作者の負担が軽減できる。
【００８９】
また、画像処理装置１では、カラーターゲット有無検出部３６によって読み取られたカラーターゲット２１の情報が既に取得しているカラーターゲット２１の情報と同一であると判別された場合と、警告発生部３０の警告文３３の警告を無視した場合において、カメラ５と撮像処理部４によって取得されたカラーターゲット２１の取得画像データと、ＲＦＩＤ読み取り部２２によって読み取られたカラーターゲット２１に埋め込まれたＩＣチップ１９の情報とからカメラプロファイルを作成するプロファイル作成部２４と、カラーターゲット２１の取得画像データと、プロファイル作成部２４によって作成されたカメラプロファイルを記憶する記録媒体１８と、カラーターゲット有無検出部３６の検出において、カメラ５と撮像処理部４から送信される画像データにカラーターゲット２１が検出されなかった場合に、記録媒体１８に基づき、カラーターゲット２１の取得画像データとカメラプロファイルがあるか否かを判別するプロファイル有無チェック部３１とを備え、プロファイル有無チェック部３１において、記録媒体１８に基づき、カラーターゲット２１の取得画像データとカメラプロファイルがないと判別された場合に警告発生部３０の警告文３４にて警告を発生する。これにより、カメラプロファイルの作成間違いを無くすことができる。作業を進めた最後に色補正ができないためにもう一度やり直すという無駄な作業を防止できる。カメラプロファイルの作成を自動的に行うので操作者がデータを入力する必要がなく、確実なカメラプロファイルを作成することができる。
【００９０】
また、画像処理装置１は、記録媒体１８に基づき、カラーターゲット２１の取得画像データとカメラプロファイルがあると判別された場合に、記録媒体１８に記憶されているカラーターゲット２１の取得画像データと取得条件は同じか否かを判別する撮影条件変更チェック部３２と、撮影条件変更チェック部３２において、記録媒体１８に記憶されているカラーターゲット２１の取得画像データと取得条件は同じであると判別された場合に、カメラ５と撮像処理部４によって取得された被写体２３の取得画像データに対してカメラプロファイルを使用して色補正が行われる色変換処理計算部２７と、色変換処理計算部２７によって色補正された被写体２３の取得画像データを出力する液晶ディスプレイ１２と画像データ表示部１１、印刷装置１０と画像データ印刷部とを備え、撮影条件変更チェック部３２において、記録媒体１８に記憶されているカラーターゲット２１の取得画像データと取得条件は同じではないと判別された場合に警告発生部３０の警告文３５にて警告を発生すると共に、警告発生部３０の警告文３４と警告発生部３０の警告文３５の警告を無視してカメラ５と撮像処理部４によって取得された被写体２３の取得画像データに対しては、色補正が行われずに出力する。これにより、画像データを取得する条件が変化した場合に、画像データを取得する以前に条件の変化を知ることができるので、前の状態に戻して作業をすることができる。それにより、常に被写体にあった色補正をされた出力画像が得られる。また、警告を無視した画像データの取得も可能であるので、例えば、カメラ撮影などのシャッタチャンスを生かした撮影も可能になる。
【００９１】
また、警告発生部３０の警告文３３は、カメラ５と撮像処理部４が取得する被写体２３の位置に設置されるカラーターゲット２１を交換する指示である。このように、指示を明確にすることにより、何の警告かよく分かり、修正の時間が短くできると共に、操作者の負担を軽減することができる。
【００９２】
また、警告発生部３０の警告文３４は、カメラ５と撮像処理部４が取得する被写体２３の位置にカラーターゲット２１を設置する指示である。このように、指示を明確にすることにより、何の警告かよく分かり、修正の時間が短くできると共に、操作者の負担を軽減することができる。
【００９３】
また、警告発生部３０の警告文３５は、カメラ５と撮像処理部４によって取得されたカラーターゲット２１の取得画像データの条件に合わせる指示である。このように、指示を明確にすることにより、何の警告かよく分かり、修正の時間が短くできると共に、操作者の負担を軽減することができる。
【００９４】
また、画像入力装置はカメラ５と撮像処理部４であって、撮影条件変更チェック部３２がカラーターゲット２１の取得画像データと取得条件の違いを判別する基準は、レンズ５ａの交換の有無、ストロボの有無、ホワイトバランスの設定変更の有無、ＩＳＯ感度の設定変更の有無である。画像入力装置がカメラ５と撮像処理部４の場合は、この４項目を押さえることによって完全なカメラプロファイルの作成を可能にすることができる。
【００９５】
また、カラーターゲット２１の情報を読み取る読取手段は、カラーターゲット２１に埋め込まれたＩＣチップを読み込むＲＦＩＤ読み取り部２２である。これにより、カラーターゲットの情報を手で入力する必要がないので、完全なカメラプロファイルを作成することができる。また、読み取りもカラーターゲット２１の設定と同時に自動で行うので短時間に完全な画像入力装置プロファイルを作成することができる。
【００９６】
そして、画像データにカラーターゲット２１の有無を検出するカラーターゲット有無検出部３６は、パターンマッチング（幾何学相関法）で行うようにする。このため、カラーターゲット２１の傾き等を気にすることなくカラーターゲット２１の有無の検出ができる。また、カラーターゲット２１のセットに対する時間と負担を軽減できる。
【００９７】
尚、本発明は前記実施形態に限定されるものではなく、本発明の要旨を逸脱しない範囲内で種々の改良、変形が可能であることは勿論である。
【００９８】
例えば、本発明をスキャナに適用しても同等の効果が得られる。
【図面の簡単な説明】
【００９９】
【図１】本実施形態に係る画像処理装置を使用した撮影現場においてカメラの前にカラーターゲットを設置した概略外観斜視図である。
【図２】画像処理装置を使用した撮影現場においてカメラの前に被写体を配置した概略外観斜視図である。
【図３】画像処理装置の構成を示すブロック図である。
【図４】画像処理装置の液晶ディスプレイに表示される警告文を説明する説明図である。
【図５】画像処理装置の液晶ディスプレイに表示される警告文を説明する説明図である。
【図６】画像処理装置の液晶ディスプレイに表示される警告文を説明する説明図である。
【図７】本発明を実施するプログラムのフローチャートである。
【符号の説明】
【０１００】
１          画像処理装置
４          撮像部
５          カメラ
５ａ        レンズ
７          ＲＩＦＤ用アンテナ
１０        印刷装置
１１        画像データ表示部
１２        液晶ディスプレイ
１８        記録媒体
１９        ＩＣチップ
２０        ループアンテナ
２１        カラーターゲット
２２        ＲＦＩＤ読み取り部
２３        被写体
２４        プロファイル作成部
２５        画像データ保存部
２６        測色データ記憶部
２７        色変換処理計算部
２９        ＲＦＩＤ更新チェック部
３０        警告発生部
３１        プロファイル有無チェック部
３２        撮影条件変更チェック部
３３        警告文
３４        警告文
３５        警告文
３６        カラーターゲット有無検出部
【図１】
2008258672.tif 000003
【図２】
2008258672.tif 000004
【図３】
2008258672.tif 000005
【図４】
2008258672.tif 000006
【図５】
2008258672.tif 000007
【図６】
2008258672.tif 000008
【図７】
2008258672.tif 000009